(57)【要約】　　　（修正有）【課題】放送されるチャンネルに対する受信周波数のプリセットを正確かつ短時間に行うことができる自動選局装置を提供する。【解決手段】選局制御マイコン５がチューナに特定の周波数を設定し、この特定の周波数に対する放送波を受信するか否かを、検波回路３、同期検出回路４及び選局制御マイコン５により検出してプリセットを行う。そして、プリセットを、一つのチャンネルを第一の周波数及び第二の周波数により受信するか否か検出し、受信が検出されたいずれかの周波数を一つのチャンネルの受信周波数に決定することによって行う。第一の周波数として一つのチャンネルの中心周波数が選択されるとともに、第二の周波数として、一つのチャンネルの中心周波数に対して同じバンドに存在する隣接する他のチャンネルの中心周波数との周波数差の１／４以上２／５以下低周波数側にシフトさせた低周波数が選択される。【選択図】　図１
2004040440.tif 000002
【特許請求の範囲】
【請求項１】
放送波をチューナにより選択して受信する機器に用いられ、予め定められたチャンネルプランに基づくチャンネルの受信周波数をプリセットする自動選局装置であって、
チューナに特定の周波数を設定するとともに、前記設定された特定の周波数に対する放送波を受信するか否か検出して前記プリセットを行う選局制御マイコンを備え、
前記プリセットを、前記チャンネルプランに基づく一のチャンネルを第一の周波数及び／又は第二の周波数により受信するか否か検出を行い、前記一のチャンネルを受信することが検出されると、受信が検出された前記第一の周波数又は第二の周波数のいずれか一方を前記一のチャンネルの受信周波数に決定することによって行い、
前記第一の周波数が前記一のチャンネルの中心周波数であり、
前記第二の周波数が前記一のチャンネルの中心周波数に対して前記一のチャンネルと同じバンドに存在する隣接する他のチャンネルの中心周波数との周波数差の１／４以上２／５以下低周波数側にシフトさせた低周波数であることを特徴とする自動選局装置。
【請求項２】
前記第二の周波数が、前記周波数差の１／３シフトさせた低周波数であることを特徴とする請求項１に記載の自動選局装置。
【請求項３】
前記第一の周波数又は第二の周波数のいずれか一方による受信が検出されると、他方による受信を検出することなく前記一方の周波数を前記一のチャンネルの受信周波数に決定する請求項１又は２に記載の自動選局装置。
【請求項４】
前記プリセットを中心周波数の低いチャンネルから中心周波数の高いチャンネルに順に行い、前記第二の周波数による受信が検出されると、第二の周波数を前記一のチャンネルの受信周波数に決定する請求項３に記載の自動選局装置。
【発明の詳細な説明】
【０００１】
【発明の属する技術分野】
本発明は、放送波を受信する機器において、受信する周波数をプリセットする自動選局装置に関する。
【０００２】
【従来の技術】
テレビ等の放送波を受信して動作する機器では、放送される各チャンネルの予め定められる中心周波数に対して、各チャンネルを受信するための周波数が調整されるようにされている。
【０００３】
即ち、放送される各チャンネルの中心周波数はチャンネルプランにより定められているが、受信可能なチャンネルや実際にチャンネルの受信が可能な周波数は地域によって異なっている。従って、地域毎に受信可能なチャンネルを決定し直し、また各チャンネルを受信するための周波数を決定し直すプリセットが行われる。
【０００４】
そして、このプリセットは、地域設定によって行われたり、微調整回路（ＡＴＦ）を用いて行われている。地域設定によるプリセットは、受信対象となる地域をいくつかに分割し、分割した地域毎に各チャンネルを受信する周波数を設定し、設定された周波数で一律にプリセットを行う。
【０００５】
微調整回路を用いたプリセットは、チャンネルプランで設定される全てのチャンネルに対応する周波数の全範囲にわたって受信する周波数を連続的に変化させ、微調整回路で同調が検知された周波数を受信周波数に決定する。
【０００６】
【発明が解決しようとする課題】
しかし、上記地域設定によるプリセットは、分割した各地域の境界付近や立地条件によっては、プリセットされた受信周波数が受信可能な周波数と一致せず、プリセットを正確に行えない場合がある。
【０００７】
また、上記微調整回路を用いたプリセットは、全てのチャンネルに対応する周波数の全範囲にわたって受信可能な周波数を検知しなければならず、プリセットを行うための処理が複雑となり、プリセットに多くの時間を要する。
【０００８】
そこで、本発明は、チャンネルに対する受信周波数のプリセットを正確かつ短時間で行うことができる自動選局装置を提供することを目的とする。
【０００９】
【課題を解決するための手段】
上記課題を解決するため、本発明は、放送波をチューナにより選択して受信する機器に用いられ、予め定められたチャンネルプランに基づくチャンネルの受信周波数をプリセットする自動選局装置であって、
チューナに特定の周波数を設定するとともに、前記設定された特定の周波数に対する放送波を受信するか否か検出して前記プリセットを行う選局制御マイコンを備え、
前記プリセットを、前記チャンネルプランに基づく一のチャンネルを第一の周波数及び／又は第二の周波数により受信するか否か検出を行い、前記一のチャンネルを受信することが検出されると、受信が検出された前記第一の周波数又は第二の周波数のいずれか一方を前記一のチャンネルの受信周波数に決定することによって行い、
前記第一の周波数を前記一のチャンネルの中心周波数とし、
前記第二の周波数を前記一のチャンネルの中心周波数に対して前記一のチャンネルと同じバンドに存在する隣接する他のチャンネルの中心周波数との周波数差の１／４以上２／５以下低周波数側にシフトさせた低周波数とすることを特徴とする自動選局装置である（請求項１）。
【００１０】
この発明の自動選局装置によると、一つのチャンネルを前記第一の周波数及び／又は第二の周波数により受信するか否か検出することによってプリセットを行う。即ち、一つのチャンネルを、前記第一の周波数により受信するか否か検出するとともに前記第二の周波数により受信するか否か検出し、あるいは第一の周波数又は第二の周波数のいずれかにより受信するか否か検出する。
【００１１】
そして、一つのチャンネルを受信することが検出された第一の周波数又は第二の周波数のいずれか一方を、その一つのチャンネルの受信周波数に決定する。一方、一つのチャンネルを第一の周波数及び第二の周波数のいずれによっても受信しないことを検出すると、受信できないチャンネルであることを決定する。
【００１２】
このようにして一つのチャンネルのプリセットを行うので、プリセットを簡易な処理により短時間で行うことができる。
【００１３】
また、自動選局装置を設置する場所でプリセットを行うことができるので、地域によってプリセットを正確に行えないということがなく、プリセットを正確に行うことができる。
【００１４】
また、前記第二の周波数を、前記周波数差の１／３シフトさせた低周波数とすることができる（請求項２）。これにより、隣接するチャンネル間で、プリセットの対象となるチャンネルに対する受信をより正確にでき、プリセットをより正確に行うことができる。
【００１５】
また、前記一のチャンネルの受信周波数を決定するにあたり、前記第一の周波数及び第二の周波数のいずれか一方による受信が検出されると、他方による受信を検出することなく前記一方の周波数を前記一のチャンネルの受信周波数に決定することができる（請求項３）。これにより、より短時間でプリセットを行うことができる。
【００１６】
また、前記第一の周波数及び第二の周波数のいずれか一方の周波数に対する受信が検出されると、一方の周波数を受信周波数に決定する場合において（請求項３）、前記プリセットを中心周波数の低いチャンネルから中心周波数の高いチャンネルに順に行い、前記第二の周波数による受信が検出されると、第二の周波数を前記一のチャンネルの受信周波数に決定することができる（請求項４）。
【００１７】
これにより、一つのチャンネルについて、第二の周波数により受信が検出されると、第一の周波数により受信するか否か検出することなく受信周波数を決定する。これにより、全てのチャンネルに対するプリセットをより短時間に行うことができる。
【００１８】
【発明の実施の形態】
本発明の実施の形態について、図１乃至図５に基づいて説明する。以下に説明する自動選局装置は、テレビの放送波を受信するテレビモニタ等の機器に用いることができる。
【００１９】
図１は、本発明にかかる自動選局装置の構成の概略を示すブロック図である。図１において、本発明にかかる自動選局装置は、検波回路３と同期検出回路４と選局制御マイコン５とメモリ６を備えている。また、図１において、１はアンテナであり、２はチューナである。
【００２０】
アンテナ１は、各放送局より送信される各チャンネルの放送波を受信する。チューナ２は、アンテナ１が受信する各チャンネルの放送波のうち、チャンネルの選択に応じて設定される特定の周波数の信号を取り出して所定の処理を行い、後に説明する検波回路３に出力する。
【００２１】
また、チューナ２の選局周波数、即ちチューナ２により受信しようとする放送波の特定の周波数は、後に説明する選局制御マイコン５によって設定されるようにされている。
【００２２】
検波回路３は、チューナ２より入力された信号の検波を行い、特に図示しない映像検波回路や音声検波回路、ＡＦＴ回路（自動微調整回路）等を備えている。そして、検波回路３は、チューナ２からの信号の入力に対して、映像検波出力信号（輝度信号、搬送色信号、同期信号等）や音声検波出力信号を出力する。
【００２３】
同期検出回路４は、検波回路３より入力された映像検波出力信号に含まれる同期信号を検出し、同期信号の存在を検出すると同期検出信号（ＳＤ信号）を出力する。ＳＤ信号は、同期検出回路４より出力され選局制御マイコン５に入力される。
【００２４】
選局制御マイコン５は、チューナ２に受信しようとする放送波の周波数を設定する。また、選局制御マイコン５は、予め定められるチャンネルプランに基づく各チャンネルを受信するための受信周波数のプリセットを行う。
【００２５】
選局制御マイコン５は、図示しないＲＯＭ（読み出し専用メモリ）やＲＡＭ（読み書き可能メモリ）を内部に備えている。選局制御マイコン５のＲＯＭには選局制御プログラムが格納されている。
【００２６】
この選局制御プログラムを選局制御マイコン５によって実行し、前記各チャンネルに対する受信周波数のプリセットを行うことができる。また、選局制御プログラムの指令により、選局周波数をチューナ２に設定することができる。
【００２７】
また、選局制御プログラムは、前記ＳＤ信号に基づき同期信号が有りと判断されたチャンネルのデータを、選局制御マイコン５に接続される外部メモリ６に記憶する。メモリ６は、Ｅ２ＰＲＯＭ等により構成することができる。
【００２８】
以下に、本発明にかかる自動選局装置を動作させる例について説明する。まず、第一の動作例を図２及び図３に基づいて説明する。第一の動作例は、以上に説明した自動選局装置により第一の放送モードで放送される各チャンネルのプリセットを行う例である。
【００２９】
図２は、第一の放送モードで放送されるチャンネルのチャンネルプランを示している。図２に示されるように、第一の放送モードには、１チャンネルから６２チャンネルまで用意される。各チャンネルは、各チャンネルに対応させて示される周波数を放送波の中心周波数として放送される。
【００３０】
また、図２に示されるように、１チャンネルから３チャンネルは第一バンドのグループに属し、４チャンネルから１２チャンネルは第二バンドのグループに属し、１３チャンネルから６２チャンネルは第四バンドのグループに属している。そして、同一のバンドに属するチャンネルの隣接するチャンネル間の中心周波数の周波数差は６ＭＨｚとなっている。
【００３１】
図３は、第一の動作例を実行するための処理手順を示すフローチャートであり、選局制御プログラムの手順の一部のフローチャートである。図１に示されるアンテナ１及びチューナ２とともに自動選局装置を動作させると、選局制御マイコン５により選局制御プログラムの実行が開始され、プリセットの動作を開始する（Ｓ１）。
【００３２】
まず、１チャンネルの中心周波数ｆ０より２ＭＨｚ低周波数側にシフトさせた低周波数を選局周波数としてチューナ２に設定し、同期検出回路４より出力されるＳＤ信号の判別を行う（Ｓ２）。
【００３３】
次に、１チャンネルの中心周波数ｆ０を選局周波数としてチューナ２に設定し、同期検出回路４より出力されるＳＤ信号の判別を行う（Ｓ３）。
【００３４】
以下、２チャンネルから６２チャンネルまでの各チャンネルについて、上記１チャンネルに対して行った手順と同様に、中心周波数ｆ０より２ＭＨｚ低い低周波数をチューナ２に設定してＳＤ信号が検出されたか否か判別を行い、次に、中心周波数ｆ０をチューナ２に設定してＳＤ信号が検出されたか否か判別を行う（Ｓ４〜Ｓ１２５）。
【００３５】
そして、上記１チャンネルから６２チャンネルの各チャンネルについて設定された低周波数及び中心周波数に対して、ＳＤ信号が検出されたチャンネル（ＣＨ）及びその周波数がメモリ６に記憶される（Ｓ１２６）。
【００３６】
以上の手順を実行し、一つのチャンネルについて低周波数及び中心周波数のいずれに対してもＳＤ信号が検出されない場合は、受信できないチャンネルであることが検出される。
【００３７】
以上の手順により、図２に示されるチャンネルプランで定められるチャンネルに対する自動選局装置のプリセットが完了する。
【００３８】
次に、第二の動作例を図４及び図５に基づいて説明する。第二の動作例は、以上に説明した自動選局装置により第二の放送モードで放送される各チャンネルに対するプリセットを行う例である。
【００３９】
図４は、第二の放送モードで放送されるチャンネルのチャンネルプランを示している。図４に示されるように、第二の放送モードには、Ｃ１３チャンネルからＣ６３チャンネルまで、５１チャンネル用意されている。各チャンネルは、各チャンネルに対応させて示される周波数を放送波の中心周波数として放送される。
【００４０】
また、図４に示されるように、Ｃ１３チャンネルからＣ２２チャンネルは第一バンドのグループに属し、Ｃ２３チャンネルからＣ５２チャンネルは第二バンドのグループに属し、Ｃ５３チャンネルからＣ６３チャンネルは第四バンドのグループに属している。そして、同一のバンドに属するチャンネルの隣接するチャンネル間の中心周波数の周波数差は６ＭＨｚとなっている。
【００４１】
図５は、第二の動作例を実行するための処理手順を示すフローチャートであり、選局制御プログラムの手順の一部のフローチャートである。図１に示されるアンテナ１及びチューナ２とともに自動選局装置を動作させると、選局制御マイコン５により選局制御プログラムの実行が開始され、プリセットの動作を開始する（Ｓ１）。
【００４２】
まず、Ｃ１３チャンネルの中心周波数ｆ０より２ＭＨｚ低周波数側にシフトさせた低周波数を選局周波数としてチューナ２に設定し、同期検出回路４より出力されるＳＤ信号の判別を行う（Ｓ２）。
【００４３】
次に、Ｃ１３チャンネルの中心周波数ｆ０を選局周波数としてチューナ２に設定し、同期検出回路４よりＳＤ信号が出力されたか否か判別を行う（Ｓ３）。
【００４４】
以下、Ｃ１４チャンネルからＣ６３チャンネルまでの各チャンネルについて、上記Ｃ１３チャンネルに対して行った手順と同様に、中心周波数ｆ０より２ＭＨｚ低い低周波数をチューナ２に設定してＳＤ信号が検出されたか否か判別を行い、次に、中心周波数ｆ０をチューナ２に設定してＳＤ信号が検出されたか否か判別を行う（Ｓ４〜Ｓ１０３）。
【００４５】
そして、上記Ｃ１３チャンネルからＣ６３チャンネルの各チャンネルについて設定された低周波数及び中心周波数に対して、ＳＤ信号が検出されたチャンネル（ＣＨ）及びその周波数がメモリ６に記憶される（Ｓ１０４）。
【００４６】
以上の手順を実行し、一つのチャンネルについて低周波数及び中心周波数のいずれに対してもＳＤ信号が検出されない場合は、受信できないチャンネルであることが検出される。
【００４７】
以上の手順により、図４に示されるチャンネルプランで定められるチャンネルに対する自動選局装置のプリセットが完了する。
【００４８】
以上の図３、図５の説明において、各チャンネルの受信を検出するにあたり、各チャンネルの中心周波数ｆ０が第一の周波数にあたり、中心周波数ｆ０より２．０ＭＨｚ低周波数側にシフトさせた低周波数が第二の周波数にあたる。
【００４９】
以上説明したように、本発明の自動選局装置によると、一つのチャンネルの受信を検出するにあたり、その中心周波数（第一の周波数）と低周波数（第二の周波数）の二つの周波数により受信するか否か検出するようにしている。これにより、プリセットを簡易な処理により短時間で行うことができる。
【００５０】
また、自動選局装置が用いられる場所でプリセットを行うので、自動選局装置を設置する場所によってプリセットが正確に行えないということがなく、プリセットを正確に行うことができる。
【００５１】
また、以上の説明では、一つのチャンネルの受信を検出するための低周波数として、中心周波数より２．０ＭＨｚ低周波数側にシフトさせた周波数を具体例に挙げた。以上に説明した例では、図２、図４に示されるように同一のバンドに存在するチャンネルの隣接するチャンネル間の中心周波数の周波数差は６ＭＨｚであり、この周波数差に対する１／３にあたる２ＭＨｚだけ中心周波数より低周波数側にシフトさせた低周波数を選択した例を示している。
【００５２】
一つのチャンネルの受信を検出するための低周波数は、チャンネルプランで定められるチャンネルのうち同一のバンドに存在する隣接するチャンネル間の中心周波数の周波数差に対する１／４以上２／５以下だけ中心周波数より低周波数側にシフトさせた低周波数が選ばれる。受信を検出しようとするチャンネルの中心周波数に対して前記範囲の低周波数を選択することにより、自動選局装置に要求される受信能力の範囲において、中心周波数又は低周波数のいずれかの周波数によってこのチャンネルを受信することができる。
【００５３】
そして、前記一つのチャンネルを受信するための低周波数として、隣接するチャンネル間の中心周波数の周波数差に対する１／３だけ中心周波数より低周波数側にシフトさせた低周波数を選択するのが最も好ましい。これにより、隣接するチャンネル間で、プリセットの対象となるチャンネルに対する受信をより正確にすることができ、プリセットをより正確に行えるからである。
【００５４】
なお、以上の説明では、一つのチャンネルの受信を検出するにあたり、低周波数と中心周波数の二つの周波数のうち、低周波数に対する検出を行ってから中心周波数に対する検出を行うようにしたが、中心周波数に対する検出を行ってから低周波数に対する検出を行うこともできる。
【００５５】
また、以上の手順を実行するにあたり、上記一つのチャンネルに対する低周波数と中心周波数のうち、いずれか一方の周波数で受信することが検出されると、他方の周波数に対する受信の検出を行わないようにすることができる。これにより、プリセットをより短時間に行うことができる。
【００５６】
特に、一つのチャンネルの検出を行うにあたり、上記図３、図５に示されるように低周波数による検出を先に行う場合には、より短時間でプリセットを行うことができる。
【００５７】
即ち、図３、図５に示されるように、中心周波数の低いチャンネルより中心周波数の高いチャンネルの順に各チャンネルの受信を検出し、一つのチャンネルについて低周波数に対する検出を先に行う場合、低周波数による受信が検出されると中心周波数による受信の検出を行うことなく、低周波数を受信周波数に決定するようにすると、全てのチャンネルに対するプリセットをより短時間に行うことができる。
【００５８】
また、以上の説明では、検波回路３及び同期検出回路４を設け、同期検出回路４より出力されるＳＤ信号に基づいて、選局制御マイコン５が同期信号の存在を検出するように構成する例を挙げた。
【００５９】
本発明の自動選局装置を実施するにあたり、必ずしも検波回路３及び同期検出回路４を設けなくともよい。即ち、チューナ２より出力された映像信号を選局制御マイコン５に直接入力するようにし、映像信号に含まれる同期信号の存在を検出することによってチャンネルを受信するか否か検出するようにすることもできる。
【００６０】
また、以上の説明では、図２、図４に示したチャンネルプランの具体例により説明したが、本発明の自動選局装置はチャンネルプランの内容にかかわらず実施することができ、図２、図４に示したチャンネルプラン以外の他のチャンネルプランであっても実施することができる。
【００６１】
図６乃至図９は、本発明の自動選局装置により、各チャンネルの受信周波数をプリセットすることができる他のチャンネルプランの具体例を示している。図６には、全部で８６のチャンネルからなるチャンネルプランが示されている。図６には、各チャンネルのチャンネルナンバーと各チャンネルの映像周波数（中心周波数）が示されている。
【００６２】
図７には、全部で９９のチャンネルからなるチャンネルプランが示されている。図７には、各チャンネルのチャンネルナンバーと各チャンネルの映像周波数（中心周波数）が示されている。
【００６３】
図８には、全部で６０のチャンネルからなるチャンネルプランが示されている。図８には、各チャンネルのチャンネルナンバーと各チャンネルの映像周波数（中心周波数）が示されている。
【００６４】
図９には、全部で５７のチャンネルからなるチャンネルプランが示されている。図９には、各チャンネルのチャンネルナンバーと各チャンネルの映像周波数（中心周波数）が示されている。
【００６５】
本発明の自動選局装置によると、図６乃至図９に示される各チャンネルプランについても、各チャンネルを受信するための受信周波数をプリセットすることができる。
【００６６】
【発明の効果】
以上説明したように、本発明の自動選局装置によると、チャンネルプランで定められる各チャンネルに対する受信周波数のプリセットを、簡易な処理により短時間で行うことができるとともに正確に行うことができるという効果を奏する。
【図面の簡単な説明】
【図１】本発明にかかる自動選局装置を示すブロック図である。
【図２】第一の放送モードで放送されるチャンネルのチャンネルプランを示す図である。
【図３】第一の動作例を実行する処理手順のフローチャートである。
【図４】第二の放送モードで放送されるチャンネルのチャンネルプランを示す図である。
【図５】第二の動作例を実行する処理手順のフローチャートである。
【図６】本発明を実施することができるチャンネルプランの一例を示す図である。
【図７】本発明を実施することができるチャンネルプランの一例を示す図である。
【図８】本発明を実施することができるチャンネルプランの一例を示す図である。
【図９】本発明を実施することができるチャンネルプランの一例を示す図である。
【符号の説明】
１　　アンテナ
２　　チューナ
３　　検波回路
４　　同期検出回路
５　　選局制御マイコン
６　　メモリ
【図１】
2004040440.tif 000003
【図２】
2004040440.tif 000004
【図３】
2004040440.tif 000005
【図４】
2004040440.tif 000006
【図５】
2004040440.tif 000007
【図６】
2004040440.tif 000008
【図７】
2004040440.tif 000009
【図８】
2004040440.tif 000010
【図９】
2004040440.tif 000011